(57)【要約】【課題】電線群に損傷が発生しない硬質チューブおよびワイヤーハーネスを提供すること。【解決手段】電線群２０と、電線群２０の外周部に沿うよう湾曲するとともに、長手方向の全長にわたって延びるギャップ１１ａを有するチューブ壁部１１と、チューブ壁部１１の電線群周方向の一端縁部に設けられ、かつ電線群２０の外周部に当接して電線群２０を径方向に押圧する一方のリップ部１２と、チューブ壁部１１の電線群周方向の他端縁部に一方のリップ部１２に対して間隔を置くよう設けられ、かつ電線群２０の外周部に当接して電線群２０を径方向に押圧する他方のリップ部１３と、一方のリップ部１２と他方のリップ部１３とが電線群周方向に互いに近接するよう、チューブ壁部１１の外周部に巻いた粘着テープ３０とを備えた構成としてある。【選択図】図１
2014212615.tif 000002
【特許請求の範囲】
【請求項１】
収納される電線群の外周部に沿うよう湾曲するとともに、長手方向の全長にわたって延びるギャップを有するチューブ壁を備えた硬質チューブであって、
前記チューブ壁部は、電線群周方向の一端縁部に、前記電線群の外周部に当接し得る一方のリップ部が設けられ、
前記チューブ壁部は、電線群周方向の他端縁部に、前記電線群の外周部に当接し得る他方のリップ部が、前記一方のリップ部に対して間隔を置くよう設けられ、
前記一方のリップ部および前記他方のリップ部は、前記電線群を径方向に押圧し得るよう構成されていることを特徴とする硬質チューブ。
【請求項２】
前記一方のリップ部および前記他方のリップ部は、それぞれ前記電線群の外周部に当接し得る凸湾曲面部を有することを特徴とする請求項１に記載の硬質チューブ。
【請求項３】
電線群と、
前記電線群の外周部に沿うよう湾曲するとともに、長手方向の全長にわたって延びるギャップを有するチューブ壁と、
前記チューブ壁部の電線群周方向の一端縁部に設けられ、かつ前記電線群の外周部に当接して前記電線群を径方向に押圧する一方のリップ部と、
前記チューブ壁部の電線群周方向の他端縁部に前記一方のリップ部に対して間隔を置くよう設けられ、かつ前記電線群の外周部に当接して前記電線群を径方向に押圧する他方のリップ部と、
前記一方のリップ部と前記他方のリップ部とが電線群周方向に互いに近接するよう、前記チューブ壁部の外周部に巻いた粘着テープとを備えたことを特徴とするワイヤーハーネス。
【請求項４】
前記一方のリップ部および前記他方のリップ部は、それぞれ前記電線群の外周部に当接する凸湾曲面部を有することを特徴とする請求項３に記載のワイヤーハーネス。
【発明の詳細な説明】
【技術分野】
【０００１】
本発明は、硬質チューブおよびワイヤーハーネスに関する。
【背景技術】
【０００２】
従来、ワイヤーハーネスに用いる外装材としての硬質チューブは、長手方向の全長にわたって延びるスリットを有している。スリットを閉塞するために、硬質チューブに粘着テープが巻かれるとともに、この粘着テープが電線群にも巻かれることで、硬質チューブが電線群に固定される。
【０００３】
また、他の外装材として、スリットを有するコルゲートチューブがある。特に、スリットが単純に直線的にカットして形成されたタイプではなくて、スリットを形成している両側の端部が内方に入り込んだ状態に形成されたコルゲートチューブが知られている（例えば、特許文献１参照）。このコルゲートチューブも、硬質チューブと同様に、粘着テープで巻かれて電線群に固定される。
【先行技術文献】
【特許文献】
【０００４】
【特許文献１】特開２０００−１１５９４９号公報
【発明の概要】
【発明が解決しようとする課題】
【０００５】
上述したように、従来の硬質チューブは、電線群を固定するように外装されるものではないので、粘着テープを硬質チューブに巻き付けるだけでなく、電線群にまで巻き付けるようにしないと、硬質チューブが電線群の外周部を擦って、電線群に損傷が発生することが懸念される。
【０００６】
したがって、粘着テープの巻き付けに時間が多く掛かるとともに、粘着テープの使用量が多くなっているという問題がある。また、特許文献１に記載されたコルゲートチューブは、硬質チューブの使用を必要とする個所で代わって使用することはできない。
【０００７】
そこで、本発明は、上述した課題を解決するためになされたものであり、収容した電線群を面で押え付けることができ、粘着テープで巻くと電線群への押え付けが確実にでき、粘着テープを電線群に巻き付ける必要がなく、作業性がよく、粘着テープの使用量が少ない硬質チューブおよびワイヤーハーネスを提供することを目的としている。
【課題を解決するための手段】
【０００８】
本発明に係る硬質チューブは、上記目的を達成するため、収納される電線群の外周部に沿うよう湾曲するとともに、長手方向の全長にわたって延びるギャップを有するチューブ壁を備えた硬質チューブであって、前記チューブ壁部は、電線群周方向の一端縁部に、前記電線群の外周部に当接し得る一方のリップ部が設けられ、前記チューブ壁部は、電線群周方向の他端縁部に、前記電線群の外周部に当接し得る他方のリップ部が、前記一方のリップ部に対して間隔を置くよう設けられ、前記一方のリップ部および前記他方のリップ部は、前記電線群を径方向に押圧し得るよう構成されている。
【０００９】
この構成により、本発明の硬質チューブは、一方のリップ部および他方のリップ部が、電線群を押し付けて、反対側のチューブ壁部と協働して固定する。このため、一対のリップ部および他方のリップ部が電線群の外周部を擦ることがなく、電線群に部材の擦過に起因する損傷が発生しない。硬質チューブに粘着テープを巻き付けると、ギャップが狭まり、硬質チューブの電線群に対する固定力が一層増大するので、粘着テープを電線群に巻き付ける必要がない。
【００１０】
なお、上記の硬質チューブにおいて、前記一方のリップ部および前記他方のリップ部は、それぞれ前記電線群の外周部に当接し得る凸湾曲面部を有する構成としてもよい。
【００１１】
この構成により、本発明の硬質チューブは、一方のリップ部および他方のリップ部のそれぞれの凸湾曲面部が、電線群の外周部に当接する。すなわち、収容した電線群を面で押え付けることができ、粘着テープで巻くと電線群への押え付けが確実にできる。このため、一方のリップ部および他方のリップ部が電線群の外周部に食い込むことがなく、電線群に部材の食い込みに起因する損傷が発生しない。
【００１２】
本発明に係るワイヤーハーネスは、上記目的を達成するため、電線群と、前記電線群の外周部に沿うよう湾曲するとともに、長手方向の全長にわたって延びるギャップを有するチューブ壁と、前記チューブ壁部の電線群周方向の一端縁部に設けられ、かつ前記電線群の外周部に当接して前記電線群を径方向に押圧する一方のリップ部と、前記チューブ壁部の電線群周方向の他端縁部に前記一方のリップ部に対して間隔を置くよう設けられ、かつ前記電線群の外周部に当接して前記電線群を径方向に押圧する他方のリップ部と、前記一方のリップ部と前記他方のリップ部とが電線群周方向に互いに近接するよう、前記チューブ壁部の外周部に巻いた粘着テープとを備えた構成となっている。
【００１３】
この構成により、本発明のワイヤーハーネスは、電線群を径方向に押圧する一方のリップ部および他方のリップ部が、チューブ壁部に電線群を押し当てる。このため、一方のリップ部および他方のリップ部が電線群の外周部を擦ることがなく、電線群に部際の擦過に起因する損傷が発生しない。
【００１４】
また、本発明のワイヤーハーネスは、チューブ壁部に巻いた粘着テープによって、一方のリップ部と他方のリップ部とが電線群周方向に互いに近接する。このため、一方のリップ部および他方のリップ部が電線群を径方向に押圧する力が大きくなり、チューブ壁部、一方のリップ部および他方のリップ部が、電線群の外周部に確実に固定される。
【００１５】
なお、上記のワイヤーハーネスにおいて、前記一方のリップ部および前記他方のリップは、それぞれ前記電線群の外周部に当接する凸湾曲面部を有する構成としてもよい。
【００１６】
この構成により、本発明のワイヤーハーネスは、一方のリップ部および他方のリップ部のそれぞれの凸湾曲面部が、電線群の外周部に当接する。すなわち、収容した電線群を面で押え付けることができ、粘着テープで巻くと電線群への押え付けが確実にでき、粘着テープを電線群に巻き付ける必要がない。このため、一方のリップ部および他方のリップ部が電線群の外周部に食い込むことがなく、電線群に部材の食い込みに起因する損傷が発生しない。
【発明の効果】
【００１７】
本発明によれば、従来のものと比較して、電線群に損傷が発生しない硬質チューブおよびワイヤーハーネスを提供することができる。
【図面の簡単な説明】
【００１８】
【図１】本発明の実施の形態に係る硬質チューブを用いたワイヤーハーネスを示す模式図であり、図１（ａ）は電線群に硬質チューブを装着する前の横断面図、図１（ｂ）は電線群に硬質チューブ装着した後の横断面図である。
【図２】本発明の実施の形態に係る硬質チューブを用いたワイヤーハーネスの縦断面図である。
【発明を実施するための形態】
【００１９】
以下、本発明の実施の形態に係る硬質チューブおよびワイヤーハーネスについて、図面を参照して説明する。
【００２０】
図１（ａ）、図１（ｂ）に示すように、硬質チューブ１０は、チューブ壁部１１と、一方のリップ部１２と、他方のリップ部１３とを含んで構成されている。
【００２１】
チューブ壁部１１は、収納される電線群２０と同方向に延びるとともに、電線群２０の外周部２０ａに沿うよう湾曲し、電線群周方向の一端縁部と他端縁部との間に、長手方向の全長にわたって延びるギャップ１１ａを有している。
【００２２】
チューブ壁部１１の凹湾曲面部１１ｂは、電線群２０の外周部２０ａの周方向所定個所に局所的に当接している。また、電線群２０は、複数の電線２１を束ねたものである。
【００２３】
一方のリップ部１２は、チューブ壁部１１の電線群周方向の一端縁部に設けられており、電線群２０の外周部２０ａに当接する凸湾曲面部１２ａを有している。他方のリップ部１３は、チューブ壁部１１の電線群周方向の他端縁部に設けられており、電線群２０の外周部２０ａに当接する凸湾曲面部１３ａを有している。一方のリップ部１２と他方のリップ部１３とは、互いに電線群周方向に間隔を置いている。
【００２４】
チューブ壁部１１、一方のリップ部１２および他方のリップ部１３は、ポリ塩化ビニル等からなる硬質樹脂材料により一体に形成され、一方のリップ部１２および他方のリップ部１３は、電線群２０を径方向に押圧するよう構成されている。
【００２５】
電線群２０に硬質チューブ１０を装着するのに際しては、例えば、手作業により、ギャップ１１ａが電線群２０の外径よりも大きく広がるよう、一方のリップ部１２と他方のリップ部１３とが電線群周方向に互いに離れる方向に付勢してチューブ壁部１１を弾性変形させ、電線群２０にチューブ壁部１１を被せる。
【００２６】
電線群２０にチューブ壁部１１を被せた後、一方のリップ部１２および他方のリップ部１３に対する付勢を解除すると、チューブ壁部１１は、硬質樹脂材料の弾性で初期形状に復原し、一方のリップ部１２の凸湾曲面部１２ａと他方のリップ部１３の凸湾曲面部１３ａとが、電線群２０の外周部２０ａに当接して電線群２０を径方向に押圧する。
【００２７】
このため、チューブ壁部１１の凹湾曲面部１１ｂに電線群２０が押し当てられ、よって、電線群２０に硬質チューブ１０が固定されることになる。
【００２８】
次に、硬質チューブ１０の作用を説明する。この硬質チューブ１０は、チューブ壁部１１の凹湾曲面部１１ｂ、一方のリップ部１２の凸湾曲面部１２ａおよび他方のリップ部１３の凸湾曲面部１３ａにより電線群２０に固定されるので、チューブ壁部１１、一方のリップ部１２および他方のリップ部１３が電線群２０の外周部２０ａを擦ることがなく、電線群２０に部材の擦過に起因する損傷が発生しない。
【００２９】
また、硬質チューブ１０は、一方のリップ部１２の凸湾曲面部１２ａおよび他方のリップ部１３の凸湾曲面部１３ａが電線群２０の外周部２０ａに当接するので、一方のリップ部１２および他方のリップ部１３が電線群２０の外周部に食い込むことがなく、電線群２０に部材の食い込みに起因する損傷が発生しない。
【００３０】
図１（ｂ）、図２（ａ）に示すように、ワイヤーハーネス１は、電線群２０と、チューブ壁部１１、一方のリップ部１２および他方のリップ部１３からなる硬質チューブ１０と、粘着テープ３０とを含んで構成されている。なお、硬質チューブ１０と電線群２０とに関しては、前述した通りであるので詳細な説明は省略する。
【００３１】
粘着テープ３０は、一方のリップ部１２と他方のリップ部１３とが電線群周方向に互いに近接するよう、チューブ壁部１１の全長にわたりチューブ壁部１１の外周部に巻き付けられている。
【００３２】
次に、ワイヤーハーネス１の作用を説明する。このワイヤーハーネス１は、チューブ壁部１１の凹湾曲面部１１ｂ、一方のリップ部１２の凸湾曲面部１２ａおよび他方のリップ部１３の凸湾曲面部１３ａにより電線群２０に固定されるので、チューブ壁部１１、一方のリップ部１２および他方のリップ部１３が電線群２０の外周部２０ａを擦ることがなく、電線群２０に部材の擦過に起因する損傷が発生しない。
【００３３】
また、ワイヤーハーネス１は、一方のリップ部１２の凸湾曲面部１２ａおよび他方のリップ部１３の凸湾曲面部１３ａが電線群２０の外周部２０ａに当接するので、一方のリップ部１２および他方のリップ部１３が電線群２０の外周部に食い込むことがなく、電線群２０に部材の食い込みに起因する損傷が発生しない。
【００３４】
さらに、ワイヤーハーネス１は、チューブ壁部１１に巻いた粘着テープ３０によって、一方のリップ部１２と他方のリップ部１３とが電線群周方向互いに近接するため、一方のリップ部１２および他方のリップ部１３が電線群２０を径方向に押圧する力が大きくなり、チューブ壁部１１、一方のリップ部１２および他方のリップ部１２が、電線群２０の外周部２０ａに確実に固定されることになる。
【００３５】
これに加えて、粘着テープ３０は、チューブ壁部１１の全長にわたりチューブ壁部１１の外周部に巻き付けられているので、結果的にギャップ１１ａの全体を覆うようになっている。このため、外部からギャップ１１ａにダストが入り込みにくく、よって、電線群２０の外周部２０ａへのダストの堆積を抑制することができる。
【００３６】
また、粘着テープ３０を電線群２０に巻き付ける必要がないため、作業性がよく、粘着テープ３０の使用量が少なくなる。
【００３７】
なお、本発明に係る硬質チューブおよびワイヤーハーネスの技術的範囲は、上述した実施の形態に限定されるものではなく、本発明の範囲を逸脱しない限り、特許請求の範囲に記載した各構成要素の種々の変更を含むものである。
【００３８】
以上のように、本発明に係る硬質チューブおよびワイヤーハーネスは、収容した電線群を面で押え付けることができ、粘着テープで巻くと電線群への押え付けが確実にでき、粘着テープを電線群に巻き付ける必要がなく、電線群に損傷が発生しないという効果を奏するもので、各種の装置に有用である。
【符号の説明】
【００３９】
１…ワイヤーハーネス、１０…硬質チューブ、１１…チューブ壁部、１１ａ…ギャップ、１２…一方のリップ部、１２ａ…凸湾曲面部、１３…他方のリップ部、１３ａ…凸湾曲面部、２０…電線群、２０ａ…外周部、３０…粘着テープ
【図１】
2014212615.tif 000003
【図２】
2014212615.tif 000004